(57)【特許請求の範囲】
【請求項１】
遠方からの可視位置に、閃絡回数を示す複数の表示板が重なり合って順に個別に吊り下げられ、各吊下部に対応して切断刃を有し、各切断刃は火薬の充填され点火具が装備されたガス発生器に連結し、前記各点火具が閃絡電流検知器からの検知信号電流により順に点火動作させるスイッチに連結されていることを特徴とする火薬駆動式閃絡回数表示装置。
【請求項２】
遠方からの可視位置に、閃絡回数を示す複数の表示板が重なり合って同一軸に軸支されており、該表示板の回動落下方向に対して可動ストッパが係合し、該可動ストッパは火薬の充填され複数の点火具が装備されたガス発生器に連結し、前記各点火具が閃絡電流検知器からの検知信号電流により順に点火動作させるスイッチに連結されていることを特徴とする火薬駆動式閃絡回数表示装置。
【請求項３】
前記閃絡電流検知器は送電線鉄塔に取り付けられ、送電線鉄塔に流れる閃絡電流の電磁誘導により検知信号電流を出力することを特徴とする請求項１または請求項２に記載の火薬駆動式閃絡回数表示装置。
【請求項４】
前記各点火具が発熱抵抗線からなり、閃絡電流検知器からの検知信号電流により順に点火動作することを特徴とする請求項１または請求項２に記載の火薬駆動式閃絡回数表示装置。
【請求項５】
前記スイッチは、前記表示板と同数のリミットスイッチであり、各表示板の落下動作により次のスイッチが順に切り替えられることを特徴とする請求項１または請求項２に記載の火薬駆動式閃絡回数表示装置。
【請求項６】
前記ガス発生器は、シリンダーに火薬が充填され、該火薬に接して発熱抵抗線が配置され、該シリンダーに切断刃を有するピストンが挿入されていることを特徴とする請求項１に記載の火薬駆動式閃絡回数表示装置。
【発明の詳細な説明】
【０００１】
【発明の属する技術分野】
本発明は、落雷等による閃絡電流が送電線鉄塔に流れた回数を火薬の駆動力によって表示する火薬駆動式閃絡回数表示装置に関するものである。
【０００２】
【従来の技術】
近年の電力に対する依存度の増大、需要者設備の高度化に伴い、停電のない電力の供給が望まれており、落雷等による事故が発生した場合は早期復旧が必要である。
【０００３】
落雷により逆閃絡や閃絡が発生した送電線鉄塔を容易に発見する装置として、閃絡表示器が知られている。閃絡表示器は鉄塔の塔脚に取り付けられ、送電線や鉄塔に落雷し塔脚に流れる閃絡電流の電磁誘導電流を出力し、その電流により閃絡表示器内部の微量の火薬を点火し、発生したガスの圧力により表示布を垂れ下げて閃絡鉄塔を表示する表示器とからなる。しかしながら、一度表示器が作動してしまうと以後使用できないため、作動する度に新品の表示器を付け替えなければならなかった。送電線鉄塔は山林の中など不便な場所にあることが多く、表示器を付け替えるためには大変な手間と費用がかかっていた。このため閃絡回数を表示することができる装置が望まれていた。
【０００４】
閃絡回数を表示する装置としては、モーターを利用した機械式の装置、発光ダイオードや液晶を利用した電気的セグメント表示の装置があり、これらは閃絡電流を検知する度に表示器に表示された数字が０から１、２、・・・と変化して閃絡回数を表示するものがある。
【０００５】
【発明が解決しようとする課題】
しかしながら、かかる閃絡回数表示装置は、複雑な減速装置や動力伝達装置が必要なだけでなく、専用の電源が必要である。送電線鉄塔が設置されている山中では、定常的に商用電源が得られないので、電源を電池とし一定期間ごとに取り替えねばならず、表示器を付け替えるのと同様の手間と費用がかかっていた。また、電気的セグメント表示の装置は、周囲の明るさや見る角度によっては、表示器に表示された数字を確認することができず、日中に屋外で遠方から確認することは困難であった。確認するために装置を大きくすると高価なものになってしまう。
【０００６】
本発明は前記の課題を解決するためなされたもので、複雑な動作装置や電源を必要とせず、保守管理に手間と費用がかからず、周囲の明るさや見る角度に影響されず、確実に閃絡回数を確認することができる火薬駆動式閃絡回数表示装置を提供することを目的とする。
【０００７】
【課題を解決するための手段】
前記の目的を達成するためになされた第一発明の火薬駆動式閃絡回数表示装置１０は、図１に示すように、遠方からの可視位置に、閃絡回数を示す複数の表示板０、１、２、３、・・・、ｎが重なり合って順に個別に吊り下げられ、各吊下部１５に対応して切断刃７を有し、各切断刃７は火薬９の充填され点火具８が装備されたガス発生器５に連結し、各点火具８が閃絡電流検知器２０からの検知信号電流により順に点火動作させるスイッチ４に連結されている。
【０００８】
前記の目的を達成するためになされた第二発明の火薬駆動式閃絡回数表示装置は、図５に示すように、遠方からの可視位置に、閃絡回数を示す複数の表示板３０、３１、３２、３３、３４が重なり合って同一軸３６に軸支されており、表示板３０、３１、３２、３３、３４の回動落下方向に対して可動ストッパ２５が係合し、可動ストッパ２５は火薬９（図６参照）の充填され複数の点火具８が装備されたガス発生器４０に連結し、各点火具８が閃絡電流検知器２０からの検知信号電流により順に点火動作させるスイッチ４に連結されている。
【０００９】
閃絡電流検知器２０は送電線鉄塔２１（図４参照）に取り付けられ、送電線鉄塔２１に流れる閃絡電流の電磁誘導により検知信号電流を出力する。
【００１０】
図３および図６に示す各点火具８は発熱抵抗線８からなり、閃絡電流検知器２０からの検知信号電流により順に点火動作する。
【００１１】
図１（Ｂ）および図５に示すスイッチ４は、表示板０、１、２、３、・・・、ｎ、３０、３１、３２、３３、３４と同数のリミットスイッチ４であり、各表示板０、１、２、３、・・・、ｎ、３０、３１、３２、３３、３４の落下動作により次のスイッチが順に切り替えられる。
【００１２】
図３に示すガス発生器５は、シリンダー６に火薬９が充填され、火薬９に接して発熱抵抗線８が配置され、シリンダー６に切断刃７を有するピストン１７が挿入されている。
【００１３】
【発明の実施の形態】
以下、本発明の実施例を図面により詳細に説明する。
図１（Ａ）および（Ｂ）は、本発明を適用する火薬駆動式閃絡回数表示装置１０の実施例を示す正面図および要部切欠側面図である。
【００１４】
図１（Ａ）に示すように、火薬駆動式閃絡回数表示装置１０は遠方から表示窓１３を通して、表示板０、１、２、３、・・・、ｎを見るものである。図１（Ｂ）に示すように、表示窓１３を有する箱の内部には貫通孔１９を有する固定板１２が設けられている。固定板１２には切断機５0、５1、５2、５3、・・・、５nが固設され、０、１、２、３、・・・、ｎの数字が書かれた表示板０、１、２、３、・・・、ｎが表示窓１３に近い方から順に、糸１５を貫通孔１９および切断機５0、５1、５2、５3、・・・、５nを通して箱の天面からつり下げられている。箱の底面には各表示板の真下にリミットスイッチ４0、４1、４2、・・・が配置され、箱の側面には各表示板が落下した際に各リミットスイッチの真上に導くガイド１１が設けられている。切断機５0、５1、・・・はリミットスイッチ４0、４1、・・・を介して閃絡電流検知器２０に接続されている。
【００１５】
図２は、図１（Ｂ）に示したリミットスイッチ４0、４1、４2・・・の接続状態を示す回路図である。リミットスイッチ４0、４1、４2・・・は、作動前はａ0、ａ1、ａ2、・・・側に接続されており、作動後にはｂ1、ｂ2、ｂ3、・・・側に切り替わる。ａ0、ａ1、ａ2、・・・側は、発熱抵抗線８0、８1、８2、・・・、例えばニクロム線に連結されている。これ以外の発熱抵抗線として白金線、タングステン線、鉄クロム線、カンタル線が挙げられる。
【００１６】
図３は、図１（Ｂ）に示した切断機５の構造を示す要部切欠図である。切断機５は、シリンダー６に発熱抵抗線８に接触して火薬９が充填され、切断歯７を有するピストン１７が挿入され、飛び出した切断歯７を停止し糸１５を挟んで切断させる突起部１８が設けられている。
【００１７】
火薬駆動式閃絡回数表示装置１０は、図４に示すように、送電線鉄塔の塔脚２１に取り付けられた閃絡電流検知器２０に接続されて取り付けられている。閃絡電流検知器２０作動前は数字０が表示されている。
【００１８】
火薬駆動式閃絡回数表示装置１０は、以下のように動作する。雷２３が送電線２２や鉄塔に落ちると鉄塔の塔脚２１に閃絡電流２４が流れる。閃絡電流検知器２０は閃絡電流２４を検知し、電磁誘導により検知信号電流が流れて火薬駆動式閃絡回数表示装置１０に出力される。この検知信号電流は、図２に示すリミットスイッチ４0に入力する。リミットスイッチ４0は、最初はａ0側に入っているため、切断機５（図３参照）の発熱抵抗線８に電流が出力される。すると発熱抵抗線８が発熱し火薬９が燃焼してガスを発生し、そのガス圧で切断歯７が飛び出して糸１５が切断され、表示板０が落下し、火薬駆動式閃絡回数表示装置１０の表示窓１３には表示板１の数字１（図１（Ａ）参照）が表示される。表示板０が落下するとリミットスイッチ４0が押され、図２に示すように、ａ0側からｂ1側に切り替わりリミットスイッチ４1が接続される。その後さらに落雷があると、リミットスイッチが順次切り替わり、表示板１、２、・・・、ｎの糸１５が順に切断され、落雷による閃絡回数を表示することができる。
【００１９】
図５は、本発明を適用する火薬駆動式閃絡回数表示装置の別な実施例を示す概略図である。この火薬駆動式閃絡回数表示装置は、表示窓を有する箱の中に０、１、２、３、４の数を表示する表示器３５、ストッパ移動具４０（図６参照）およびリミットスイッチ４0、４1、４2、４3が収納されている。表示器３５は、支持棒３６の上に０、１、２、３、４の数字が書かれた表示板３０、３１、３２、３３、３４が重ねられて軸支され、ストッパ２５が突出部３９に係合して支えられている。表示板３０、３１、３２、３３が回動落下した際に突出部３９の回動落下線上で、突出部３９が衝突する位置にリミットスイッチ４0、４1、４2、４3が配置されている。リミットスイッチ４0、４1、４2、４3の接続状態は前述した図２に示したとおりであり、再度の説明を省略する。
【００２０】
ストッパ移動具４０は、図６に示すように、火薬収納部４１とストッパ収納部４２に一部を連通して分けられている。ストッパ収納部４２にはストッパ２５が摺動可能に挿入されている。火薬収納部４１には圧力調節弁３８が設けられ、しきり板３７で表示閃絡回数分の室に仕切られ、各室には発熱抵抗線８0、８1、８2、８3と接触して火薬９が充填されている。発熱抵抗線８0、８1、８2、８3はそれぞれリミットスイッチ４0、４1、４2、４3を介して閃絡電流検知器２０に接続され、リミットスイッチが切り替わる度に、発熱抵抗線８0から順に閃絡電流の検出信号電流を流させる。
【００２１】
この火薬駆動式閃絡回数表示装置は、以下のように動作する。図６に示すように、落雷により閃絡電流検知器２０からの検知信号電流が出力されると、この検知信号電流は、リミットスイッチ４0（図２参照）を通って、発熱抵抗線８0に流れる。すると発熱抵抗線８0が発熱し火薬９が燃焼してガスを発生し、そのガス圧でストッパ２５が押されて矢示方向に移動し、図５に示すように、表示板３０の突出部３９がストッパ２５からはずれて表示板３０が回動落下し、表示板３１の数字１が表示される。ガスが発生した際、必要以上のガス圧でストッパ２５を規定長さ以上押し出さないようにするため、余分なガスは圧力調節弁３８から放出される。表示板３０が落下するとリミットスイッチ４0が押されて、図２に示すように、ａ0側からｂ1側に切り替わる。その後さらに落雷があると、リミットスイッチが順次切り替わり、火薬９の燃焼圧力でストッパ２５が矢示方向に規定長さづつ移動し、表示板３１、３２、３３、３４が順に回動落下し、落雷による閃絡回数を表示することができる。
【００２２】
【発明の効果】
以上、詳細に説明したように本発明の火薬駆動式閃絡回数表示装置は、複雑な動作装置や電源を必要とせず、低コストで閃絡回数を表示できる。送電線鉄塔が設置される山中まで保守管理のために出かける必要がなく、手間と費用がかからない。また耐環境性に優れ、屋外で長期間使用することができる。しかも周囲の明るさや見る角度に影響されず、日中の屋外で遠方からでも確実に閃絡回数を確認することができる。
【図面の簡単な説明】
【図１】本発明を適用する火薬駆動式閃絡回数表示装置の実施例を示す正面図および要部切欠側面図である。
【図２】本発明を適用する火薬駆動式閃絡回数表示装置のスイッチの接続状態を示す回路図である。
【図３】本発明を適用する火薬駆動式閃絡回数表示装置の切断機を示す要部切欠図である。
【図４】本発明を適用する火薬駆動式閃絡回数表示装置の鉄塔取り付け例を示す図である。
【図５】本発明を適用する火薬駆動式閃絡回数表示装置の別な実施例を示す概略図である。
【図６】本発明を適用する火薬駆動式閃絡回数表示装置のストッパ移動具を示す要部断面図である。
【符号の説明】
０・１・２・３・ｎ・３０・３１・３２・３３・３４は表示板、４0・４1・４2・４3はリミットスイッチ、５・５0・５1・５2・５3・５nは切断機、６はシリンダー、７・７0・７1・７2は切断歯、８・８0・８1・８2・８3・８nは発熱抵抗線、９は火薬、１０は火薬駆動式閃絡回数表示装置、１１はガイド、１２は固定板、１３は表示窓、１５は糸、１７はピストン、１８は突起部、１９は貫通孔、２０は閃絡電流検知器、２１は塔脚、２２は送電線、２３は雷、２４は閃絡電流、２５はストッパ、３９は突出部、３５は表示器、３６は支持棒、３７はしきり板、３８は圧力調節弁、４０はストッパ移動具、４１は火薬収納部、４２はストッパ収納部である。
【図１】
0003847370.tif 000002
【図２】
0003847370.tif 000003
【図３】
0003847370.tif 000004
【図４】
0003847370.tif 000005
【図５】
0003847370.tif 000006
【図６】
0003847370.tif 000007